(57)【要約】【課題】操作部を有する筐体と表示部を有する筐体とを互いに平行移動させることによって、表示部の清掃が可能な携帯端末装置を提供する。【解決手段】一方主面１ａに操作面１０Ｓ有し他方主面１ｂに清掃部材３０を有する第１筐体１と、表示面２０Ｓが基部２１の一方主面２１ａ側を向く位置と他方主面２１ｂ側を向く位置との間を回動可能な表示部２０を有する第２筐体２とを互いに平行移動させて初期状態と使用状態とを切り替えるたびに、清掃部材３０が表示面２０Ｓの表面を摺動して清掃するので、汚れが付着し易い表示面２０Ｓを常に清浄な状態に保てる。第２筐体２の表示部２０が基部２１に対し回動可能なので、表示部２０を１８０度回動させて基部２１の他方主面２１ｂ側を向かせることにより、第１筐体１と第２筐体２とを重ね合わせた状態でも、表示面２０Ｓのタッチパネル機能を利用することが可能である。【選択図】      図１
2014116696.tif 000002
【特許請求の範囲】
【請求項１】
操作部および清掃部材を有し、該操作部の操作面が一方主面に配設され、該清掃部材が他方主面に配設される第１筐体と、
基部および表示部を有する第２筐体であって、
前記基部は、その一方主面が前記第１筐体の他方主面に沿って移動可能に、前記第１筐体に連結され、
前記表示部は、その表示面が前記基部の一方主面側を向く位置と他方主面側を向く位置との間を回動可能に、前記基部に接続される第２筐体とを備え、
前記表示面が前記基部の一方主面側を向いた状態の前記第２筐体に対し、前記第１筐体が移動するときに、前記清掃部材が前記表示面に接して摺動することを特徴とする携帯端末装置。
【請求項２】
基部、操作部および清掃部材を有する第１筐体であって、
前記操作部は、その操作面が前記基部の一方主面側を向く位置と他方主面側を向く位置との間を回動可能に、前記基部に接続され、
前記清掃部材が前記他方主面に配設される第１筐体と、
表示部を有する第２筐体であって、
前記表示部の表示面が一方主面に配設され、
該一方主面が前記基部の他方主面に沿って移動可能に、前記基部に連結される第２筐体とを備え、
前記第１筐体が前記第２筐体に対し移動するときに、前記清掃部材が前記表示部の表示面に接して摺動することを特徴とする携帯端末装置。
【請求項３】
第１基部、操作部および清掃部材を有する第１筐体であって、
前記操作部は、その操作面が前記第１基部の一方主面側を向く位置と他方主面側を向く位置との間を回動可能に、前記第１基部に接続され、
前記清掃部材が前記第１基部の他方主面に配設される第１筐体と、
第２基部および表示部を有する第２筐体であって、
前記第２基部は、その一方主面が前記第１基部の他方主面に沿って移動可能に、前記第１基部に連結され、
前記表示部は、その表示面が前記第２基部の一方主面側を向く位置と他方主面側を向く位置との間を回動可能に、前記第２基部に接続される第２筐体とを備え、
前記表示面が前記第２基部の一方主面側を向いた状態の前記第２筐体に対し、前記第１筐体が移動するときに、前記清掃部材が前記表示面に接して摺動することを特徴とする携帯端末装置。
【請求項４】
基部および表示部を有する第１筐体であって、
前記表示部は、その表示面が前記基部の一方主面側を向く位置と他方主面側を向く位置との間を回動可能に、前記基部に接続される第１筐体と、
操作部および清掃部材を有する第２筐体であって、
前記操作部の操作面が一方主面に配設され、
前記清掃部材が該一方主面に配設され、
該一方主面が前記基部の他方主面に沿って移動可能に、前記基部に連結される第２筐体とを備え、
前記表示面が前記基部の他方主面側を向いた状態の前記第１筐体が、前記第２筐体に対し移動するときに、前記清掃部材が前記表示面に接して摺動することを特徴とする携帯端末装置。
【請求項５】
前記第１筐体と前記第２筐体とは、前記清掃部材を露出させる位置まで互いに移動可能であることを特徴とする請求項１〜４のいずれか１つに記載の携帯端末装置。
【発明の詳細な説明】
【技術分野】
【０００１】
本発明は、操作部を有する筐体と、表示部を有する別の筐体とが、互いに平行移動が可能に連結されて成る携帯端末装置に関する。
【背景技術】
【０００２】
特許文献１に、上部筐体と下部筐体とが、双方の対向面に沿ってスライド移動可能となるように結合され、上部筐体及び下部筐体の一方の筐体の対向面上に、クリーナを備える携帯端末装置が記載されている。クリーナは、上部筐体と下部筐体とのスライド移動に伴い、他方の筐体の対向面に接触しながら移動することによって、この対抗面の表面を清掃する。特許文献１の携帯端末装置は、かかる構成に基づき、クリーナの存在がデザイン性を損なわず、また、ユーザの特別な操作を必要とせずにクリーナによる清掃が可能であり、また、その使用に際して状況による制限を受けることがない、という利点を発揮するとされている。
【先行技術文献】
【特許文献】
【０００３】
【特許文献１】特開２０１１−１１４３５１号公報
【発明の概要】
【発明が解決しようとする課題】
【０００４】
特許文献１には、上部筐体にクリーナを設けるのに対し、下部筐体に、キーボードなどの操作部を設ける場合、スクリーンなどの表示部を設ける場合、表示部および操作部の両方を設ける場合が例示されている。下部筐体に操作部を設ける場合は、上部筐体に表示部が設けられることになるから、汚れが目立ち易い表示部をクリーナで清掃することができないという問題がある。表示部と操作部の両方を下部筐体に設けた場合は、携帯端末装置が、上部筐体と下部筐体とを重ね合わせた状態のとき、操作部が携帯端末装置の内側に位置して隠れるため、携帯端末装置の操作ができなくなる問題が生じる。表示部を下部筐体に設けた場合は、この表示部をタッチパネル機能付とするときに、携帯端末装置を上部筐体と下部筐体とを重ね合わせた状態にすると、このタッチパネル機能を利用できなくなる問題が生じる。
【０００５】
本発明の目的は、操作部を有する筐体と、表示部を有する筐体とを互いに平行移動が可能に連結した携帯端末装置において、２つの筐体を平行移動させることによって表示部の清掃が可能であり、また、２つの筐体を重ね合わせた状態でも、表示部の利用を可能にする携帯端末装置を提供することである。
【課題を解決するための手段】
【０００６】
本発明は、操作部および清掃部材を有し、該操作部の操作面が一方主面に配設され、該清掃部材が他方主面に配設される第１筐体と、
基部および表示部を有する第２筐体であって、
前記基部は、その一方主面が前記第１筐体の他方主面に沿って移動可能に、前記第１筐体に連結され、
前記表示部は、その表示面が前記基部の一方主面側を向く位置と他方主面側を向く位置との間を回動可能に、前記基部に接続される第２筐体とを備え、
前記表示面が前記基部の一方主面側を向いた状態の前記第２筐体に対し、前記第１筐体が移動するときに、前記清掃部材が前記表示面に接して摺動することを特徴とする携帯端末装置である。
【０００７】
また本発明は、基部、操作部および清掃部材を有する第１筐体であって、
前記操作部は、その操作面が前記基部の一方主面側を向く位置と他方主面側を向く位置との間を回動可能に、前記基部に接続され、
前記清掃部材が前記他方主面に配設される第１筐体と、
表示部を有する第２筐体であって、
前記表示部の表示面が一方主面に配設され、
該一方主面が前記基部の他方主面に沿って移動可能に、前記基部に連結される第２筐体とを備え、
前記第１筐体が前記第２筐体に対し移動するときに、前記清掃部材が前記表示部の表示面に接して摺動することを特徴とする携帯端末装置である。
【０００８】
また本発明は、第１基部、操作部および清掃部材を有する第１筐体であって、
前記操作部は、その操作面が前記第１基部の一方主面側を向く位置と他方主面側を向く位置との間を回動可能に、前記第１基部に接続され、
前記清掃部材が前記第１基部の他方主面に配設される第１筐体と、
第２基部および表示部を有する第２筐体であって、
前記第２基部は、その一方主面が前記第１基部の他方主面に沿って移動可能に、前記第１基部に連結され、
前記表示部は、その表示面が前記第２基部の一方主面側を向く位置と他方主面側を向く位置との間を回動可能に、前記第２基部に接続される第２筐体とを備え、
前記表示面が前記第２基部の一方主面側を向いた状態の前記第２筐体に対し、前記第１筐体が移動するときに、前記清掃部材が前記表示面に接して摺動することを特徴とする携帯端末装置である。
【０００９】
また本発明は、基部および表示部を有する第１筐体であって、
前記表示部は、その表示面が前記基部の一方主面側を向く位置と他方主面側を向く位置との間を回動可能に、前記基部に接続される第１筐体と、
操作部および清掃部材を有する第２筐体であって、
前記操作部の操作面が一方主面に配設され、
前記清掃部材が該一方主面に配設され、
該一方主面が前記基部の他方主面に沿って移動可能に、前記基部に連結される第２筐体とを備え、
前記表示面が前記基部の他方主面側を向いた状態の前記第１筐体が、前記第２筐体に対し移動するときに、前記清掃部材が前記表示面に接して摺動することを特徴とする携帯端末装置である。
【００１０】
また本発明は、前記第１筐体と前記第２筐体とが、前記清掃部材を露出させる位置まで互いに平行移動可能であることを特徴とする。
【発明の効果】
【００１１】
本発明によれば、一方主面に操作部の操作面を有し、他方主面に清掃部材を有する第１筐体を、表示面が一方主面側を向く位置と他方主面側を向く位置との間を回動可能な表示部を有する第２筐体に対し移動させることによって、清掃部材が、一方主面側に向けた表示部の表示面上を摺動して清掃する。したがって、携帯端末装置の状態を、第１筐体と第２筐体とを重ね合わせた初期状態と、第１筐体と第２筐体とを相対的に平行移動させた使用状態とに切り替える操作を行うたびに、清掃部材が表示部の表示面を清掃するので、汚れが付着し易い表示面を清浄に保つのが容易である。
【００１２】
しかも表示部の表示面は、基部に対し、一方主面側を向く位置と他方主面側を向く位置との間を回動可能であるから、表示部がタッチパネル機能を有する場合に、表示部の表示面を他方主面側に向けることにより、携帯端末装置が第１筐体と第２筐体とを重ね合わせた初期状態のときでも、表示面が外側に露出し、タッチパネル機能を使用することが可能となる。
【００１３】
また本発明によれば、基部と、操作面が該基部の一方主面側を向く位置と他方主面側を向く位置との間を回動可能に該基部に接続される操作部と、該基部の他方主面に設けられる清掃部材とを有する第１筐体を、一方主面に表示部の表示面を有する第２筐体に対し移動させることによって、清掃部材が表示部の表示面上を摺動して清掃する。したがって、携帯端末装置の状態を、第１筐体と第２筐体とを重ね合わせた初期状態と、第１筐体に対し第２筐体を平行移動させた使用状態とに切り替える操作を行うたびに、清掃部材が表示部の表示面を清掃するので、汚れが付着し易い表示面を清浄に保つのが容易である。
【００１４】
しかも操作部の操作面は、基部に対し、一方主面側を向く位置と他方主面側を向く位置との間を回動可能であるから、操作面を他方主面側に向けた状態で、第１筐体と第２筐体とを重ね合わせることにより、操作面を内側に隠せるから、不使用時に操作部を保護することができる。
【００１５】
また本発明によれば、第１基部と、操作面が第１基部の一方主面側を向く位置と他方主面側を向く位置との間を回動可能に第１基部に接続される操作部と、第１基部の他方主面に設けられる清掃部材とを有する第１筐体を、第２基部と、表示面が第２基部の一方主面側を向く位置と他方主面側を向く位置との間を回動可能に第２基部に接続される表示部とを有する第２筐体に対し移動させることによって、清掃部材が、第２基部の一方主面側に向けた表示部の表示面上を摺動して清掃する。したがって、携帯端末装置の状態を、第１筐体と第２筐体とを重ね合わせた初期状態と、第１筐体と第２筐体とを相対的に平行移動させた使用状態とに切り替える操作を行うたびに、清掃部材が表示部の表示面を清掃するので、汚れが付着し易い表示面を清浄に保つのが容易である。
【００１６】
しかも表示部の表示面は、第２基部に対し、一方主面側を向く位置と他方主面側を向く位置との間を回動可能であるから、表示部がタッチパネル機能を有する場合に、表示面を他方主面側に向けることにより、携帯端末装置が第１筐体と第２筐体とを重ね合わせた状態のときでも、表示面が外側に露出し、タッチパネル機能を使用することが可能となる。
【００１７】
さらに操作部の操作面は、第１基部に対し、一方主面側を向く位置と他方主面側を向く位置との間を回動可能であるから、操作面を第１基部の他方主面側に向けた状態で、第１筐体と第２筐体とを重ね合わせることにより、操作面を内側に隠せるから、不使用時に操作部を保護することができる。
【００１８】
また本発明によれば、基部と、表示面が該基部の一方主面側を向く位置と他方主面側を向く位置との間を回動可能に該基部に接続される表示部とを有する第１筐体に対し、一方主面に操作部の操作面および清掃部材を有する第２筐体を移動させることによって、清掃部材が、他方主面側に向けた表示部の表示面上を摺動して清掃する。したがって、携帯端末装置を、表示面が他方主面側を向いた状態にして、第１筐体と第２筐体とを重ね合わせた状態と、第１筐体と第２筐体とを相対的に平行移動させた状態とに切り替える操作を行うたびに、清掃部材が表示部の表示面を清掃するので、汚れが付着し易い表示面を清浄に保つのが容易である。
【００１９】
また、表示面を他方主面側に向けることにより、携帯端末装置を第１筐体と第２筐体とを重ね合わせた状態にすると、表示面を内側に隠せるから、不使用時に表示部を保護することができる。
【００２０】
また本発明によれば、第１筐体と第２筐体とを、清掃部材を露出させる位置まで、互いに平行移動させることが可能であるので、必要時に清掃部材を露出させた状態として、清掃部材自体の清掃や、清掃部材の交換などを容易に行うことができる。
【図面の簡単な説明】
【００２１】
【図１】本発明の第１の実施形態に係るものであって、初期状態の携帯端末装置Ｍ１を示す斜視図である。
【図２】本発明の第１の実施形態に係るものであって、使用状態の携帯端末装置Ｍ１を示す斜視図である。
【図３】本発明の第１の実施形態に係るものであって、表示部２０を回動させている状態の携帯端末装置Ｍ１を示す斜視図である。
【図４】本発明の第１の実施形態に係るものであって、表示部２０の表示面２０Ｓを基部２１の他方主面２１ｂ側に向けた状態の携帯端末装置Ｍ１を示す斜視図である。
【図５】本発明の第１の実施形態に係るものであって、図５（Ａ）は初期状態の携帯端末装置Ｍ１を示す側面図、図５（Ｂ）は使用状態の携帯端末装置Ｍ１を示す側面図、図５（Ｃ）は表示部２０を９０度回動させた状態の側面図である。
【図６】本発明の第１の実施形態に係るものであって、第１筐体１に設けられる清掃部材３０の配設箇所を拡大して示す携帯端末装置Ｍ１を一部切り欠いた側面図である。
【図７】本発明の第１の実施形態に係るものであって、図７（Ａ）は第１筐体１に対し第２筐体２を清掃部材３０が露出する位置まで移動させた状態の携帯端末装置Ｍ１の側面図、図７（Ｂ）は清掃部材３０の配設箇所を拡大して示す携帯端末装置Ｍ１の側面図である。
【図８】本発明の第２の実施形態に係るものであって、図８（Ａ）は初期状態の携帯端末装置Ｍ２を示す側面図、図８（Ｂ）は使用状態の携帯端末装置Ｍ２を示す側面図、図８（Ｃ）は操作部１２を９０度回動させた状態の側面図である。
【図９】本発明の第２の実施形態に係るものであって、図９（Ａ）は使用状態の携帯端末装置Ｍ２における清掃部材３０および第２の清掃部材３１の配設箇所を拡大して示す側面図、図９（Ｂ）は第１筐体１と第２筐体２とを、第２の清掃部材３１が露出する位置まで平行移動させた状態における携帯端末装置Ｍ２の第２の清掃部材３１の配設箇所を拡大して示す側面図である。
【図１０】本発明の第３の実施形態に係るものであって、図１０（Ａ）は初期状態の携帯端末装置Ｍ３を示す側面図、図１０（Ｂ）は使用状態の携帯端末装置Ｍ３を示す側面図である。
【図１１】本発明の第４の実施形態に係るものであって、図１１（Ａ）は初期状態の携帯端末装置Ｍ４を示す側面図、図１１（Ｂ）は使用状態の携帯端末装置Ｍ４を示す側面図である。
【図１２】本発明の第４の実施形態に係るものであって、使用状態の携帯端末装置Ｍ４を示す斜視図である。
【発明を実施するための形態】
【００２２】
（第１の実施形態）
以下、本発明の実施形態を、図面に基づいて説明する。図１〜図７は本発明の第１の実施形態に係るものであって、図１は初期状態の携帯端末装置Ｍ１を示す斜視図、図２は、使用状態の携帯端末装置Ｍ１を示す斜視図、図３は表示部２０を回動させている状態の携帯端末装置Ｍ１を示す斜視図、図４は表示部２０の表示面２０Ｓを他方主面２１ｂ側に向けた状態の携帯端末装置Ｍ１を示す斜視図、図５（Ａ）は初期状態の携帯端末装置Ｍ１を示す側面図、図５（Ｂ）は使用状態の携帯端末装置Ｍ１を示す側面図、図５（Ｃ）は表示部２０を９０度回動させた状態の側面図、図６は第１筐体１に設けられる清掃部材３０の配設箇所を拡大して示す携帯端末装置Ｍ１を一部切り欠いた側面図、図７（Ａ）は第１筐体１に対し第２筐体２を清掃部材３０が露出する位置まで移動させた状態の携帯端末装置Ｍ１の側面図、図７（Ｂ）は清掃部材３０の配設箇所を拡大して示す携帯端末装置Ｍ１の側面図である。
【００２３】
以下の説明において、図１に示すごとき、第１筐体１と第２筐体２とを重ね合わせた状態を、携帯端末装置Ｍ１の初期状態、図２に示すごとき、第１筐体１と第２筐体２とが相対的に平行移動して、表示部２０の表示面２０Ｓが露出する状態を、携帯端末装置Ｍ１の使用状態と言うものとする。また、携帯端末装置Ｍ１を、初期状態から使用状態とするため、第１筐体１を基準として、第２筐体２を平行移動させる方向を移動方向Ｐとし、移動方向Ｐの先に向かう側を先端側、反対側を基端側とする。さらに、第１筐体１および第２筐体２における移動方向Ｐに沿う方向を長手方向、移動方向Ｐに対し直交しかつ第１筐体１の一方主面１ａに平行な方向を幅方向、移動方向Ｐに対し直交しかつ第１筐体１の一方主面１ａに対し直交する方向を厚み方向と、それぞれ言うものとする
【００２４】
本実施形態は、たとえば携帯電話装置、スマートフォン装置、ＰＤＡ（Ｐersonal Digital Assistants）などの携帯端末装置Ｍ１に適用される。本実施形態の携帯端末装置Ｍ１は、ほぼ同一形状の直方体状に形成された第１筐体１と第２筐体２とを有する。第１筐体１は、通常、使用時にユーザに面する一方主面１ａに、操作部１０の操作面１０Ｓを有するとともに、一方主面１ａとは反対側に位置する他方主面１ｂに清掃部材３０を有する。操作部１０は、テンキーなどのキーボードから成り、必要に応じ、十字キーなどから成る副操作部１１をさらに設けてもよい。清掃部材３０については、後述する。
【００２５】
第２筐体２は、一方主面２１ａが第１筐体１の他方主面１ｂに対し接触したまま平行状態を保って移動が可能に連結される基部２１と、該基部２１に対し回動可能に接続される表示部２０とを有する。本実施形態では、基部２１と第１筐体１の他方主面１ｂとの相対的な平行移動方向が、第１筐体１の長手方向に沿う直線的な方向に設定される。基部２１と第１筐体１の他方主面１ｂとを相対的に平行移動可能とする構造は、たとえば、第１筐体１の他方主面１ｂに溝を形成し、基部２１の一方主面２１ａに凸部を形成し、この溝と凸部とを嵌合させる構造などが考えられるが、これに限られない。
【００２６】
表示部２０は、液晶素子や有機または無機ＥＬ（Electro Luminescence）素子を用いた表示装置Ｄを含んで成り、表示部２０の一方側の面２０ａに、表示装置Ｄの表示面２０Ｓが配置される。表示部２０は、基部２１に対し、表示面２０Ｓが基部２１の一方主面２１ａ側を向く位置と、一方主面２１ａと反対側の他方主面２１ｂ側を向く位置との間を回動可能となされる。表示部２０が基部２１に対し回動する回動軸は、本実施形態では、表示部２０と基部２１とが互いに当接するそれぞれの当接面における中心位置を通り、第２筐体２の長手方向を軸線とする回動軸とされる。なお、表示部２０の基部２１に対する回動角度は、少なくとも１８０度以上であればよい。
【００２７】
本実施形態の清掃部材３０は、第１筐体１の他方主面１ｂにおける先端側に配設される。図６に示すように、清掃部材３０の表面３０Ｓは、第１筐体１の他方主面１ｂからわずかに突出するように設定される。表面３０Ｓの形状を長方形とする場合、表面３０Ｓの幅方向の寸法は、第１筐体１とほぼ等しいか、または、表示部２０の表示面２０Ｓの幅方向の寸法にほぼ等しく設定される。表面３０Ｓの長さ方向の寸法は、特に制限はないが、後述する交換作業を容易にできるように設定することが望ましい。
【００２８】
清掃部材３０は、たとえば、軟質な発泡プラスチック材料、比較的硬質だが表示面２０Ｓの表面硬度よりは硬度が小さい多孔質材料、織物、編物、不織布などの繊維質材料、ブラシ状材料などで製作される。また、清掃部材３０の形状については、移動の際に表示面２０Ｓを清掃できるものであればよく、特に限定されない。
【００２９】
前述のごとく構成される本実施形態の携帯端末装置Ｍ１は、図１および図５（Ａ）に示す初期状態から、第１筐体１と第２筐体２とを平行移動させて、図２および図５（Ｂ）に示す使用状態にするときに、第１筐体１の他方主面１ｂに配設した清掃部材３０の表面３０Ｓが、図６に示すように、第２筐体２の表示面２０Ｓに接して摺動する。また同様に、携帯端末装置Ｍ１を、図２および図５（Ｂ）に示す使用状態から、第１筐体１と第２筐体２とを平行移動させて、図１および図５（Ａ）に示す初期状態に戻すときにも、清掃部材３０の表面３０Ｓが表示面２０Ｓに接して摺動する。このように、本実施形態の携帯端末装置Ｍ１は、第１筐体１と第２筐体２とを互いに平行移動させて、初期状態と使用状態とを切り替えるたびに、清掃部材３０が表示面２０Ｓの表面を摺動して清掃する。したがって、汚れが付着し易い表示面２０Ｓを常に清浄な状態に保つのが容易となる効果が発揮される。
【００３０】
また、本実施形態の携帯端末装置Ｍ１は、第２筐体２の表示部２０を、基部２１に対し回動可能に構成したので、携帯端末装置Ｍ１を、初期状態から、第１筐体１と第２筐体２とを平行移動させて使用状態にしたあと、図３および図５（Ｃ）に示すように、表示部２０を１８０度回動させて、表示面２０Ｓを基部２１の他方主面２１ｂ側を向かせることができる。これにより、たとえば表示面２０Ｓにタッチパネル機能を持たせたときに、図４に示すごとく、第１筐体１と第２筐体２とを重ね合わせた状態でも、タッチパネル機能を利用することが可能になる効果が発揮される。
【００３１】
さらに本実施形態では、図７に示すように、第１筐体１の他方主面１ｂに配設した清掃部材３０が露出する位置まで、第１筐体１と第２筐体２とを平行移動させることが可能なように構成した。すなわち、第１筐体１を、第２筐体２の先端から突出する位置まで平行移動が可能とし、清掃部材３０を、第２筐体２の先端側へ露出させる。これにより、必要に応じ、清掃部材３０自体の清掃や、清掃部材３０の交換を行うことが可能となるので、清掃部材３０を清浄な状態に維持するのが容易となり、反復使用により汚れが付着した清掃部材３０で、かえって表示面２０Ｓを汚損する問題を確実に防止する効果が発揮される。
【００３２】
（第２の実施形態）
図８および図９は、本発明の第２の実施形態に係るものであって、図８（Ａ）は初期状態の携帯端末装置Ｍ２を示す側面図、図８（Ｂ）は使用状態の携帯端末装置Ｍ２を示す側面図、図８（Ｃ）は操作部１２を９０度回動させた状態の側面図、図９（Ａ）は使用状態の携帯端末装置Ｍ２における清掃部材３０および第２の清掃部材３１の配設箇所を拡大して示す側面図、図９（Ｂ）は第１筐体１と第２筐体２とを、第２の清掃部材３１が露出する位置まで平行移動させた状態における携帯端末装置Ｍ２の第２の清掃部材３１の配設箇所を拡大して示す側面図である。
【００３３】
本実施形態の携帯端末装置Ｍ２は、第１筐体１が、基部１３と、操作面１２Ｓが基部１３の一方主面１３ａ側を向く位置と、他方主面１３ｂ側を向く位置との間を回動可能に基部１３に接続される操作部１２と、基部１３の他方主面１３ｂに配設される清掃部材３０とを有する。操作部１２が基部１３に対し回動する回動軸は、操作部１２と基部１３とが互いに当接するそれぞれの当接面における中心位置を通り、第１筐体１の長手方向を軸線とする方向の回動軸とされる。なお、操作部１２の基部１３に対する回動角度は、少なくとも１８０度以上であればよい。
【００３４】
清掃部材３０は、第１筐体１の基部１３の他方主面１ｂにおける先端側に配設される。清掃部材３０の製作材料や、清掃部材３０を基部１に対して配設する構造は、第１の実施形態に準じるので、ここでの説明は省略する。
【００３５】
第２筐体２は、一方主面２２ａが、第１筐体１の基部１３の他方主面１３ｂに対し接触したまま平行状態を保って移動が可能に基部１３に連結され、該一方主面２２ａに表示面２２Ｓが位置する表示部２２を有している。本実施形態では、基部１３と第２筐体２の一方主面２２ａとの相対的な平行移動方向が、第１筐体１の長手方向に沿う直線的な方向に設定される。基部１３と第２筐体２の一方主面２２ａとを相対的に平行移動可能とする構造は、たとえば、一方に形成した溝と他方に形成した凸部とを嵌合させる構造などが考えられるが、これに限られない。
【００３６】
さらに本実施形態では、図９（Ａ）に示すように、第２筐体２の一方主面２２ａの基端側に、第２の清掃部材３１を配設する。第２の清掃部材３１は、その表面３１Ｓが、第２筐体２の一方主面２２ａからわずかに突出するように設定される。また、第２の清掃部材３１の表面３１Ｓの形状を長方形とする場合、その幅方向の寸法は、第２筐体２とほぼ等しいか、または、操作部１２の操作面１２Ｓの幅方向の寸法とほぼ等しく設定される。表面３１Ｓの長さ方向の寸法は、特に制限はないが、後述する交換作業を容易にできるように設定することが望ましい。第２の清掃部材３１の製作材料は、軟質な発泡プラスチック材料、比較的硬質だが操作面１２Ｓの表面硬度よりは硬度が小さい多孔質材料、織物、編物、不織布などの繊維質材料、ブラシ状材料などが挙げられる。また、第２の清掃部材３１の形状については、移動の際に操作面１２Ｓを清掃できるものであればよく、特に限定されない。なお、表示面を清掃する清掃部材３０と、第２の清掃部材３１とは、共通の部材であってもよく、異なる部材であってもよい。
【００３７】
前述のごとく構成される本実施形態の携帯端末装置Ｍ２は、第１筐体１と第２筐体２とを平行移動させて、図８（Ａ）に示す初期状態から図８（Ｂ）に示す使用状態にするとき、および、反対に、図８（Ｂ）に示す使用状態から図８（Ａ）に示す初期状態に戻すときに、基部１３の他方主面１ｂに配設した清掃部材３０が、第２筐体２の表示面２２Ｓに接して摺動する。すなわち、第１筐体１と第２筐体２とを移動させて、初期状態と使用状態とを切り替えるたびに、清掃部材３０が表示面２２Ｓの表面を摺動して清掃するから、汚れが付着し易い表示面２２Ｓを常に清浄な状態に保つのが容易となる効果が発揮される。
【００３８】
さらに本実施形態では、第１筐体１の基部１３に対し、操作部１２を回動可能に構成したので、携帯端末装置Ｍ２を使用状態にしたあと、図８（Ｃ）に示すように、操作部１２を回動させて、操作面１２Ｓが基部１３の他方主面１３ｂ側を向く状態にすることができる。そして、この状態で、第１筐体１と第２筐体とを両者が重なり合う位置まで互いに平行移動させると、第２筐体２に配設した第２の清掃部材３１が、操作部１２の操作面１２Ｓに接して摺動するから、汚れが付着し易い操作面１２Ｓを清掃して、常に清浄な状態に保つのが容易となる効果が発揮される。しかも、第２の清掃部材３１による操作面１２Ｓの表面清掃は、清掃部材３０による表示面２２Ｓの表面清掃と同時に実行されるので、効率がよい。
【００３９】
また本実施形態では、基部１３の他方主面１３ｂに配設した清掃部材３０が露出する位置まで、第１筐体１と第２筐体２とを互いに平行移動させたときに、図９（Ｂ）に示すように、第２筐体２の一方主面２２ａに配設した第２の清掃部材３１が露出するように構成したので、清掃部材３０の清掃や交換を行うときに、同時に、第２の清掃部材３１の清掃や交換も行うことが可能となる。よって、清掃部材３０および第２の清掃部材３１をいずれも清浄な状態に維持するのが容易となり、反復使用により汚れが付着した清掃部材３０または第２の清掃部材３１によって、表示面２２Ｓや操作面１２Ｓを汚損する問題を防止する効果が発揮される。
【００４０】
なお、操作面１２Ｓを基部１３の他方主面１３ｂ側に向けた状態で、第１筐体１と第２筐体２とを重ね合わせることにより、操作面１２Ｓを内側に隠せるから、不使用時に操作部１２を保護することができる。
【００４１】
（第３の実施形態）
図１０は、本発明の第３の実施形態に係るものであって、図１０（Ａ）は初期状態の携帯端末装置Ｍ３を示す側面図、図１０（Ｂ）は使用状態の携帯端末装置Ｍ３を示す側面図である。
【００４２】
本実施形態の携帯端末装置Ｍ３は、第１筐体１が、第１基部１４と、操作面１２Ｓが第１基部１４の一方主面１４ａ側を向く位置と他方主面１４ｂ側を向く位置との間を回動可能に第１基部１４に接続される操作部１２と、第１基部１４の他方主面１４ｂに配設される清掃部材３０とを有する。操作部１２が第１基部１４に対し回動する回動軸は、操作部１２と第１基部１４とが互いに当接するそれぞれの当接面における中心位置を通り、第１筐体１の長手方向を軸線とする回動軸とされる。操作部１２の第１基部１４に対する回動範囲は、少なくとも１８０度以上であればよい。
【００４３】
清掃部材３０が、第１基部１４の他方主面１４ｂにおける先端側に配設される。清掃部材３０の製作材料や、清掃部材３０を第１基部１４に配設する構造は、第１の実施形態に準じるので、ここでは説明を省略する。
【００４４】
第２筐体２は、一方主面２３ａが第１基部１４の他方主面１４ｂに対し接触したまま平行状態を保って移動が可能に連結される第２基部２３と、表示面２０Ｓが第２基部２３の一方主面２３ａ側を向く位置と他方主面２３ｂ側を向く位置との間を回動可能に第２基部２３に接続される表示部２０とを有する。本実施形態では、第１基部１４の他方主面１４ｂと第２基部２３の一方主面２３ａとの平行移動方向が、第１筐体１の長手方向に沿う直線的な方向に設定される。第１基部１４と第２基部２３とを互いに平行移動が可能に連結する構造は、たとえば、第１基部１４の他方主面１４ｂに溝を形成し、第２基部２３の一方主面２３ａに凸部を形成し、この溝と凸部とを嵌合させる構造や、第１基部１４の他方主面１４ｂとこれに対向する第２基部２３の一方主面２３ａとに、図示しない伸縮可能なレールを設け、これによって、第１基部１４と第２基部２３とを互いに平行移動可能に結合する構造などが考えられるが、これらに限られない。
【００４５】
表示部２０は、第２基部２３に対し回動可能である。表示部２０が第２基部２３に対し回動する回動軸は、本実施形態では、表示部２０と第２基部２３とが互いに当接するそれぞれの当接面における中心位置を通り、第２筐体２の長手方向を軸線とする回動軸とされる。なお、表示部２０の基部２１に対する回動角度は、少なくとも１８０度以上であればよい。
【００４６】
さらに本実施形態では、第２基部２３の一方主面２３ａの基端側に、第２の清掃部材３１が配設される。第２の清掃部材３１の形状や配設構造は、前記第２の実施形態に準じるので、ここでの説明は省略する。
【００４７】
前述のごとく構成される本実施形態の携帯端末装置Ｍ３は、第１筐体１と第２筐体２とを平行移動させて、図１０（Ａ）に示す初期状態と、図１０（Ｂ）に示す使用状態とを切り替えるたびに、第１筐体１の清掃部材３０が、第２筐体２の表示面２０Ｓに接して摺動し、表示面２０Ｓを清掃する。したがって、汚れが付着し易い表示面２０Ｓを常に清浄な状態に保つのが容易となる効果が発揮される。
【００４８】
また、第２筐体２の表示部２０が第２基部２３に対し回動可能であるので、携帯端末装置Ｍ３を、初期状態から使用状態にしたあと、表示部２０を１８０度回動させて、表示面２０Ｓを第２基部２３の他方主面２３ｂ側を向かせることができる。これにより、たとえば表示面２０Ｓにタッチパネル機能を持たせたときに、第１筐体１と第２筐体２とを重ね合わせた状態でも、タッチパネル機能を利用することが可能になる効果が発揮される。
【００４９】
さらに本実施形態の携帯端末装置Ｍ３は、第１筐体１の第１基部１４に対し、操作部１２を回動可能に構成したので、携帯端末装置Ｍ３を図１０（Ｂ）に示す使用状態にしたあと、操作部１２を回動させて、操作面１２Ｓが第１基部１４の他方主面１４ｂ側を向く状態とすることができる。そして、この状態で、第１筐体１と第２筐体２とを両者が重なり合う位置まで平行移動させると、第２基部２３の一方主面２３ａに配設した第２の清掃部材３１が、操作部１２の操作面１２Ｓに接して摺動して清掃する。これにより、汚れが付着し易い操作面１２Ｓを清掃して、常に清浄な状態に保つのが容易となる効果が発揮される。しかも、第２の清掃部材３１による操作面１２Ｓの表面清掃は、清掃部材３０による表示面２０Ｓの表面清掃と同時に実行されるので、効率がよい。
【００５０】
また本実施形態では、第２の実施形態と同様に、第１基部１４の他方主面１４ｂに配設した清掃部材３０が露出する位置まで、第１筐体１と第２筐体２とを平行移動させると、第２基部２３の一方主面２３ａに配設した第２の清掃部材３１も同時に露出するように構成されているので、清掃部材３０の清掃や交換を行うときに、同時に、第２の清掃部材３１の清掃や交換も行うことが可能となる。よって、清掃部材３０および第２の清掃部材３１をいずれも清浄な状態に維持するのが容易となり、反復使用により汚れが付着した清掃部材３０または第２の清掃部材３１で、表示面２０Ｓや操作面１２Ｓを汚損する問題を防止する効果が発揮される。
【００５１】
なお、操作面１２Ｓを第１基部１４の他方主面１４ｂ側に向けた状態で、第１筐体１と第２筐体２とを重ね合わせることにより、操作面１２Ｓを内側に隠せるから、不使用時に操作部１２を保護することができる。
【００５２】
（第４の実施形態）
図１１および図１２は、本発明の第４の実施形態に係るものであって、図１１（Ａ）は初期状態の携帯端末装置Ｍ４を示す側面図、図１１（Ｂ）は使用状態の携帯端末装置Ｍ４を示す側面図、図１２は使用状態の携帯端末装置Ｍ４を示す斜視図である。
【００５３】
本実施形態の携帯端末装置Ｍ４は、第１筐体１が、基部２５と、表示面２４Ｓが基部２５の一方主面２５ａ側を向く位置と他方主面２５ｂ側を向く位置との間を回動可能に基部２５に接続される表示部２４と、基部２５の他方主面２５ｂに配設される第１の清掃部材３２とを有する。表示部２４が基部２５に対し回動する回動軸は、本実施形態では、表示部２４と基部２５とが互いに当接するそれぞれの当接面における中心位置を通り、第１筐体１の長手方向を軸線とする回動軸とされる。なお、表示部２４の基部２５に対する回動角度は、少なくとも１８０度以上であればよい。
【００５４】
第１の清掃部材３２は、第１筐体１の基部２５の他方主面２５ｂにおける基端側に配設される。第１の清掃部材３２は、その表面が、基部２５の他方主面２５ｂからわずかに突出するように設定される。また、第１の清掃部材３２の表面の形状を長方形とする場合、その幅方向の寸法は、第１筐体１とほぼ等しいか、または、後述する操作部１５の操作面１５Ｓの幅方向の寸法とほぼ等しく設定される。第１の清掃部材３２の表面の長さ方向の寸法は、特に制限はないが、後述する交換作業を容易にできるように設定することが望ましい。
【００５５】
第２筐体２は、一方主面１５ａが、第１筐体１の基部２５の他方主面２５ｂに対し接触したまま平行状態を保って移動が可能に基部２５に連結され、該一方主面１５ａに操作面１５Ｓが位置する操作部１５を有している。本実施形態では、基部２５と第２筐体２の一方主面１５ａとの相対的な平行移動方向が、第１筐体１の長手方向に沿う直線的な方向に設定される。基部２５と第２筐体２とを相対的に平行移動可能とする構造は、たとえば、一方に形成した溝と他方に形成した凸部とを嵌合させる構造などが考えられるが、これに限られない。
【００５６】
さらに本実施形態では、第２筐体２の一方主面１５ａの先端側に、第２の清掃部材３３が配設される。第２の清掃部材３３は、その表面が、第２筐体２の一方主面１５ａからわずかに突出するように設定される。また、第２の清掃部材３３の表面の形状を長方形とする場合、その幅方向の寸法は、第２筐体２とほぼ等しいか、または、表示部２４の表示面２４Ｓの幅方向の寸法とほぼ等しく設定される。第２の清掃部材３３の長さ方向の寸法は、特に制限はないが、後述する交換作業を容易にできるように設定することが望ましい。
【００５７】
前述のごとく構成される本実施形態の携帯端末装置Ｍ４は、第１筐体１と第２筐体２とを平行移動させて、図１１（Ａ）に示す初期状態から図１１（Ｂ）と図１２とに示す使用状態にするとき、および、反対に図１１（Ｂ）と図１２とに示す使用状態から図１１（Ａ）に示す初期状態に戻すときに、第１筐体１の基部２５の他方主面２５ｂに配設した第１の清掃部材３２が、第２筐体２の操作面１５Ｓに接して摺動する。すなわち、第１筐体１と第２筐体２とを互いに平行移動させて、初期状態と使用状態とを切り替えるたびに、第１の清掃部材３２が、操作面１５Ｓの表面を摺動して清掃するから、汚れが付着し易い操作面１５Ｓを常に清浄な状態に保つのが容易となる効果が発揮される。
【００５８】
さらに本実施形態では、第１筐体１の基部２５に対し、表示部２４を回動可能に構成したので、携帯端末装置Ｍ４を使用状態にしたあと、表示部２４を回動させて、表示面２４Ｓが基部２５の他方主面２５ｂ側を向く状態にすることができる。そして、この状態で、第１筐体１と第２筐体とを両者が重なり合う位置まで平行移動させると、第２筐体２に配設した第２の清掃部材３３が、表示面２４Ｓに接して摺動するから、汚れが付着し易い表示面２４Ｓを清掃して、常に清浄な状態に保つのが容易となる効果が発揮される。しかも、第２の清掃部材３３による表示面２４Ｓの表面清掃は、第１の清掃部材３２による操作面１５Ｓの表面清掃と同時に実行されるので、効率がよい。
【００５９】
なお本実施形態では、第１筐体１の基部２５の他方主面２５ｂに配設した第１の清掃部材３２が露出する位置まで、第１筐体１と第２筐体２とを平行移動させたときに、第２筐体２の一方主面１５ａに配設した第２の清掃部材３３が露出するように構成したので、第１の清掃部材３２の清掃や交換を行うときに、同時に、第２の清掃部材３３の清掃や交換も行うことが可能となる。よって、第１の清掃部材３２および第２の清掃部材３３をいずれも清浄な状態に維持するのが容易となり、反復使用により汚れが付着した第１の清掃部材３２または第２の清掃部材３３で、表示面２４Ｓや操作面１５Ｓを汚損する問題を防止する効果が発揮される。
【００６０】
表示部２４は、基部２５に対し、表示面２４Ｓが一方主面２５ａ側を向く位置と他方主面２５ｂ側を向く位置との間を回動可能であるから、表示面２４Ｓを他方主面２５ｂ側に向けた状態で、第１筐体１と第２筐体２とを重ね合わせることにより、表示面２４Ｓを内側に隠せるから、不使用時に表示部２４を保護することができる。
【００６１】
(その他の実施形態)
前記実施形態は、第１筐体１と第２筐体２とが互いに平行移動する移動方向Ｐが、第１筐体１の長手方向に沿う方向である携帯端末装置について述べたものであるが、第１筐体１と第２筐体とが、両者の接触面に対し垂直な軸線を中心として、相対的に回動する構成の携帯端末装置とすることも可能である。
【００６２】
また前記実施形態では、表示部の表示面または操作部の操作面が回動可能である場合において、携帯端末装置の初期状態を、表示面または操作面が一方主面側を向いた状態として説明したが、表示面または操作面が他方主面側を向いた状態を、初期状態とすることも可能である。
【符号の説明】
【００６３】
Ｍ１  携帯端末装置
Ｍ２  携帯端末装置
Ｍ３  携帯端末装置
Ｍ４  携帯端末装置
１  第１筐体
１ａ  一方主面
１ｂ  他方主面
２  第２筐体
１０  操作部
１０Ｓ  操作面
１３  基部
１３ａ  一方主面
１３ｂ  他方主面
１４  第１基部
１５  操作部
１５Ｓ  操作面
２０  表示部
２０Ｓ  表示面
２１  基部
２１ａ  一方主面
２１ｂ  他方主面
２２  表示部
２２Ｓ  表示面
２３  第２基部
２４  表示部
２４  表示面
２５  基部
３０  清掃部材
３０Ｓ  表面
３１  第２の清掃部材
３１Ｓ  表面
３２  第１の清掃部材
３３  第２の清掃部材
Ｄ  表示装置
Ｐ  移動方向
【図１】
2014116696.tif 000003
【図２】
2014116696.tif 000004
【図３】
2014116696.tif 000005
【図４】
2014116696.tif 000006
【図５】
2014116696.tif 000007
【図６】
2014116696.tif 000008
【図７】
2014116696.tif 000009
【図８】
2014116696.tif 000010
【図９】
2014116696.tif 000011
【図１０】
2014116696.tif 000012
【図１１】
2014116696.tif 000013
【図１２】
2014116696.tif 000014